(57)【特許請求の範囲】
【請求項１】
枠体によって周囲が囲まれた原稿台ガラスと、
前記原稿台ガラスに置かれた原稿を読み取る読取部と、
前記枠体にヒンジによって設けられて前記原稿台ガラスを開閉する蓋体と、
前記蓋体の前記原稿台ガラスに対向する部分に設けられて前記蓋体を閉じたとき、前記原稿を前記原稿台ガラスに圧接させる圧接シートと、
を備えた画像読取装置において、
前記圧接シートの開閉端部に、前記原稿台ガラスの縁よりも外方に突出する突出部を備え、且つ前記突出部と対向する前記原稿台ガラスの縁と前記枠体の縁との間に、外部に通じる隙間部を備えたことを特徴とする画像読取装置。
【請求項２】
前記開閉端部が、前記ヒンジと反対側の端部であることを特徴とする請求項１に記載の画像読取装置。
【請求項３】
前記突出部が、前記圧接シートの開閉端部の一部分に形成されたことを特徴とする請求項１又は２に記載の画像読取装置。
【請求項４】
前記請求項１乃至３のいずれか１項に記載の画像読取装置と、
前記画像読取装置によって読み取られた画像をシートに形成する画像形成部と、
を備えたことを特徴とする画像形成装置。
【発明の詳細な説明】
【０００１】
【発明の属する技術分野】
本発明は、原稿の画像を読み取る画像読取装置と、この画像読取装置を備え、画像読取装置によって読み取られた画像を形成する画像形成装置とに関する。
【０００２】
【従来の技術】
従来、複写機、ファクシミリ、スキャナー等の画像形成装置は、画像読取装置で原稿を読み取るようになっている。
【０００３】
画像読取装置は、例えば、図８に示すように、シート状の原稿「以下、単に「原稿」と称する」を搬送排出する原稿搬送排出部Ａと、原稿を読み取る原稿読取部Ｂとを備えている。
【０００４】
原稿搬送排出部Ａは、原稿載置台１上に積載した原稿Ｄを、先ず、予備搬送ローラ２と予備押圧板３とにより、原稿載置台１から送り出し、分離片４に接した分離ローラ５で１枚ずつ分離し、さらに、原稿給送ローラ６と押圧ばね７に押圧された原稿給送ころ８とで原稿読取部Ｂに搬送するようになっている。
【０００５】
原稿読取部Ｂは、原稿台ガラス９と、原稿台ガラス９に微少の隙間をもって対峙する白色の圧接板１０とを備えている。原稿搬送排出部Ａから搬送されてきた原稿Ｄは、白色の圧接板１０の場所で、搬送方向を変えられ、読み取り後の原稿Ｄを排出する原稿排出ローラ１１と、原稿排出ころ１２とにより排出トレイ１３上に排出される。この場合、図８に示すように、白色の圧接板１０の場所で、原稿Ｄの搬送経路が屈曲しており、原稿ＤはＪ字状に屈曲して搬送されるようになっている。
【０００６】
以上、原稿Ｄを自動的に連続して読み取る場合について説明したが、原稿を１枚ずつ読み取る場合には、原稿Ｄを、原稿台ガラス９に１枚ずつセットしなければならない。
【０００７】
この場合、原稿Ｄは、図９に示すように、原稿台ガラス９に互いに直角に貼り付けられたサイズ指標縦スケール９ａとサイズ指標横スケール９ｂとに囲まれた、符号９ｃで示す領域に、両スケール９ａ，９ｂの目盛りを基準にしてセットされる。なお、原稿台ガラス９は、図１１に示す、枠体１０５に囲まれている。
【０００８】
原稿Ｄは、図１０、図１１に示すように、画像形成装置本体にヒンジ１０２，１０３によって開閉可能に設けられた蓋体１０４の下面に設けられた白色の圧接シート１０１によって、原稿台ガラス９に圧接される。
【０００９】
原稿Ｄが、原稿台ガラス９に密着していないと、原稿台ガラス９との間に隙間が生じ、原稿読取部Ｂは、原稿Ｄを確実に読み取ることができない。このため、白色の圧接シート１０１は、原稿Ｄを原稿台ガラス９に密着させるだけの柔軟性を備えて、表面が平らに形成されている。
【００１０】
【発明が解決しようとする課題】
しかし、白色の圧接シート１０１は、表面が平らに形成されているため、原稿Ｄが原稿台ガラス９にセットされていないとき、原稿台ガラス９に密着し、原稿台ガラス９から離れにくくなることがある。
【００１１】
従って、原稿読取装置は、蓋体１０４を開けるとき、蓋体１０４が重くなったのと同じ結果になり、通常より大きな力で蓋体１０を持ち上げなければならないという問題を有している。
【００１２】
（目的）
本発明は、圧接シートが原稿台ガラスに密着するようなことがあっても、蓋体を容易に開けることのできる画像読取装置と、この装置を備えた画像形成装置とを提供することを目的としている。
【００１３】
【課題を解決するための手段】
上記課題は、次の画像読取装置によって解決される。
【００１４】
枠体によって周囲が囲まれた原稿台ガラスと、前記原稿台ガラスに置かれた原稿を読み取る読取部と、前記枠体にヒンジによって設けられて前記原稿台ガラスを開閉する蓋体と、前記蓋体の前記原稿台ガラスに対向する部分に設けられて前記蓋体を閉じたとき、前記原稿を前記原稿台ガラスに圧接させる圧接シートと、を備えた画像読取装置において、前記圧接シートの開閉端部に、前記原稿台ガラスの縁よりも外方に突出する突出部を備え、且つ前記突出部と対向する前記原稿台ガラスの縁と前記枠体の縁との間に、外部に通じる隙間部を備えたことを特徴とする。
【００１８】
前記開閉端部が、前記ヒンジと反対側の端部であることを特徴とする。
【００１９】
前記突出部が、前記圧接シートの開閉端部の一部分に形成されたことを特徴とする。
【００２２】
上記課題は、さらに、次の画像形成装置によって解決される。
【００２３】
上記いずれか１つの記載の画像読取装置と、前記画像読み取り装置によって読み取られた画像をシートに形成する画像形成部と、を備えたことを特徴とする。
【００２５】
【発明の実施の形態】
先ず、本発明の画像読取装置２００が備えられた画像形成装置３０を図７に基づいて概略説明する。
【００２６】
画像形成装置３０は、原稿読取部Ｂの原稿台ガラス９にセットした原稿ＤをラインセンサであるＣＣＤセンサ３１とミラー台３２との主、副走査によって得られた画像情報を、レーザスキャナ部３３によって感光ドラム３４上に潜象として形成し、トナーを付着させてトナー像を形成する。トナー像は、カセット３５から送られてきた記録シートに転写ローラ３６によって転写され、定着器３７の熱と圧力によって永久定着される。これによって、原稿の画像が記録シートに複写されたことになる。
【００２７】
次に、画像読取装置２００について、従来例と異なる部分についてのみ説明する。なお、従来例と同一の部分には、同一の符号を付してその部分の説明は省略することとする。
【００２８】
図１は、蓋体１０４を省略した画像読取装置２００の平面図で、原稿台ガラス９と白色の圧接シート２０１との配置関係を示す概略図である。図２は、図１中、２−２矢視断面概略図である。
【００２９】
枠体１０５と、原稿台ガラス９の表面は、同じ高さに揃えられている。いわゆる、面一になっている。枠体１０５は、大きさからして、分轄されることもあるが、図１においては、中央を繰り抜いて平面視ロ字状に形成された、一体物である。
【００３０】
圧接シート２０１の、ヒンジ１０２，１０３と反対側の前端部２０１ａは、全体が原稿台ガラス９の縁９ｄよりも外方に突出して突出部となっている。なお、従来の圧接シート１０１（図１１参照）の前端部１０１ａは、原稿台ガラス９の縁９ｄより内側に位置している。
【００３１】
圧接シート２０１の前端部２０１ａが対向する原稿台ガラス９の縁９ｄと、枠体１０５の縁１０５ａとの間に、隙間部Ｓが形成されている。この隙間部Ｓは、図１において、圧接シート２０１の左側の側端部２０１ｂより左方向に延長している。
【００３２】
このような、構成であるため、隙間部Ｓに外部の空気が常時進入しており、圧接シート１０１の前端部１０１ａの原稿台ガラス９に対する密着性が、他の部分と比較して弱まっている。
【００３３】
従って、蓋体１０４が閉じられている状態から、図２の矢印方向に蓋体１０４を開くとき、圧接シート１０１は、原稿台ガラス９の縁９ｄから容易に剥れて、蓋体１０４を開くときの負荷になるようなことがない。よって、蓋体１０４を従来よりも小さい力で軽く開くことができる。
【００３４】
なお、隙間部Ｓを設ける代わりに、原稿台ガラス９の縁９ａと、枠体１０５の縁１０５ａとに高低差をもたせ、その高低差によって、圧接シート１０１の前端部１０１ａと、原稿台ガラス９或は枠体１０５との間に隙間をもうけ、その隙間に外部の空気が進入できるようにしておいても同様な作用効果が生じる。
【００３５】
また、図２において、圧接シート１０１は、原稿台ガラス９から離れているが、これは、図面を理解し易くするために離してあるのであって、実際は、原稿台ガラス９に密着している。
【００３６】
圧接シートの前端部は、図３に示す、圧接シート３０１の前端部３０１ａのように、一部分だけ突出させてもよい。この場合は、一部分突出した前端部３０１ａから圧接シート３０１が原稿台ガラス９から剥れることになる。
【００３７】
さらに、圧接シートの前端部は、図４に示す、圧接シート４０１の前端部４０１ａのように、前端部４０１ａ全体を原稿台ガラス９と反対側に屈曲させてもよい。この場合、圧接シート４０１の前端部４０１ａと、原稿台ガラス９或は枠体１０５との間に隙間Ｓ４が生じ、前端部４０１ａの左右両側端部からその隙間Ｓ４に外部の空気が進入して、図１の圧接シート２０１と同様な作用効果が生じる。なお、原稿台ガラス９の縁９ｄと、枠体１０５の縁１０５ａとの間の隙間部Ｓは必ずしも必要としない。また、前端部４０１ａは、図３に示す前端部３０１ａと同様に、一部分だけ突出させて屈曲させてもよい。この場合には、上記隙間部Ｓを必要とする。
【００３８】
また、圧接シートの前端部は、図５に示す、圧接シート５０１の前端部５０１ａのように、前端部全体５０１ａを原稿台ガラス９と反対側に屈曲させて段状に形成し、その部分の原稿台ガラス９の側にシート１０６を備えてもよい。この場合、段状に屈曲した部分と、原稿台ガラス９との間に隙間Ｓ５が生じ、前端部５０１の左右両側端部からその隙間Ｓ５に外部の空気が進入して、図１の圧接シート２０１と同様な作用効果が生じる。なお、原稿台ガラス９の縁９ｄと、枠体１０５の縁１０５ａとの間の隙間部Ｓは必ずしも必要としない。また、前端部５０１ａは、図３に示す前端部３０１ａと同様に、一部分だけ突出させて屈曲させてもよい。この場合には、上記隙間部Ｓを必要とする。
【００３９】
さらに、図６に示す、圧接シート６０１のように、側端部６０１ｃを側方に突出させるか、折り曲げるか、或は段状に屈曲させてシート１０７を貼り付けるかしてもよい。この場合も、原稿台ガラス９の側縁９ｅと、枠体１０５の縁１０５ｂとの間に隙間部Ｓ６を形成する必要がある。また、前端部６０１ａは、図３に示す前端部３０１ａと同様に、一部分だけ突出させてもよい。
【００４０】
なお、特許請求の範囲における、「開閉端部」とは、ヒンジ１０２，１０３と対向している端部以外の残りの端部を言う。例えば、図１において、前端部２０１ａ、側端部２０１ｂ，２０１ｃのことである。
【００４１】
【発明の効果】
本発明の画像形成装置は、圧接シートの開閉端部をガラスの縁より外方に突出させたり、屈曲させたり、圧接シートの開閉端部にシートを設けたり、ガラスと枠体との間に隙間部を形成したりして、圧接シートの周囲に外部の空気が進入し易くしたので、原稿台ガラスに圧接シートが密着しているようなことがあっても、圧接シートを原稿台ガラスから容易に剥がすことができ、蓋体の開閉を従来よりも小さな力で楽に行なえるようになる。
【００４２】
さらに、圧接シートを容易に剥がすことができることによって、原稿台ガラスに対する圧接シートの密着性を高めることができ、原稿を確実に原稿台ガラスに密着させて、画像の読取精度を高めることができる。
【００４３】
また、画像形成装置は、原稿を確実に原稿台ガラスに密着させることのできる画像読取装置を備えているので、品質のよい画像を形成することができる。
【図面の簡単な説明】
【図１】本発明の実施形態の、蓋体を省略した画像読取装置平面図である。
【図２】図１中、２−２矢視断面概略図である。
【図３】他の実施形態の圧接シートの平面図である。
【図４】他の実施形態の圧接シートの断面図であって、図２に相当する図である。
【図５】他の実施形態の圧接シートの断面図であって、図２に相当する図である。
【図６】他の実施形態の圧接シートの平面図である。
【図７】本発明の実施形態の画像読取装置を備えた、画像形成装置の正面断面図である。
【図８】従来の画像読取装置の正面断面図である。
【図９】原稿台ガラスの斜視図である。
【図１０】従来の画像読取装置の蓋体を開いた外観図である。
【図１１】従来の圧接シートの平面図である。
【符号の説明】
Ｄ    原稿
Ｓ，Ｓ４，Ｓ５  隙間
Ａ    搬送排出部
Ｂ    原稿読取部（読取部）
９    原稿台ガラス
９ａ  サイズ指標縦スケール
９ｂ  サイズ指標横スケール
９ｃ  領域
９ｄ  縁
９ｅ  側縁
３０    画像形成装置
３４    感光ドラム（画像形成部）
３６    転写ローラ（画像形成部）
２０１，３０１，４０１，５０１，６０１    白色の圧接シート
２０１ａ，３０１ａ，４０１ａ，５０１ａ    圧接シートの前端部（解放端部、突出部）
１０２    ヒンジ
１０３    ヒンジ
１０４    画像読取装置の蓋体
１０５    枠体
１０５ａ  枠体の縁
１０５ｂ  枠体の縁
１０６    シート（薄片）
１０７    シート（薄片）
２００    画像読取装置
２０１ｂ，２０１ｃ，６０１ｃ  圧接シートの側端部（解放端部）
【図１】
0003581567.tif 000002
【図２】
0003581567.tif 000003
【図３】
0003581567.tif 000004
【図４】
0003581567.tif 000005
【図５】
0003581567.tif 000006
【図６】
0003581567.tif 000007
【図７】
0003581567.tif 000008
【図８】
0003581567.tif 000009
【図９】
0003581567.tif 000010
【図１０】
0003581567.tif 000011
【図１１】
0003581567.tif 000012